【誤訳訂正書】
【提出日】平成23年11月11日(2011.11.11)
【誤訳訂正１】
【訂正対象書類名】特許請求の範囲
【訂正対象項目名】全文
【訂正方法】変更
【訂正の内容】
【特許請求の範囲】
【請求項１】
デジタル文書画像を取得する工程と、
前記デジタル文書画像に、各ドットが第１空間解像度で規定される個々の１×１画素以上の大きさであるドットパターンを含む透かしを付加する工程と、
前記透かしを有するデジタル文書を、前記第１空間解像度において中間調印刷方式により印刷する工程と、
前記中間調印刷方式により印刷された印刷文書を、前記第１空間解像度以上の高さの第２空間解像度で読み取って読取画像を取得する工程と、
前記読取画像内において画素輝度変化の度合いが小さい領域を識別することにより、前記読取画像における任意の改ざんを検出する工程と、を有し、
前記透かしを付加する工程において、前記デジタル文書画像の比較的明るいコンテンツを有する領域については前記透かしのドットの画素は前記デジタル文書画像の元の画素値よりも暗い画素値とされ、前記デジタル文書画像の比較的暗いコンテンツを有する領域については、前記透かしのドットの画素は前記デジタル文書画像の元の画素値よりも明るい画素値とされる、
印刷文書認証方法。
【請求項２】
デジタル文書画像を取得する工程と、
前記デジタル文書画像に、各ドットが第１空間解像度で規定される個々の１×１画素以上の大きさであるドットパターンを含む透かしを付加する工程と、
前記透かしを有するデジタル文書を、前記第１空間解像度において中間調印刷方式により印刷する工程と、
前記中間調印刷方式により印刷された印刷文書を、前記第１空間解像度以上の高さの第２空間解像度で読み取って読取画像を取得する工程と、
前記読取画像内において画素輝度変化の度合いが小さい領域を識別することにより、前記読取画像における任意の改ざんを検出する工程と、を有し、
前記検出する工程は、
（ａ）前記読取画像を、各々が複数の画素を有する複数のブロックに分割する工程と、
各ブロックについて、
（ｂ）前記ブロックの平坦度合いを算出する工程と、
（ｃ）前記平坦度合いが所定の第１閾値以下であるとき、前記ブロックに改ざん有りのマークを付する工程と、
改ざん有りのマークが付されていない各ブロックについて、
（ｄ）所定の第２閾値を用いることで、前記ブロック内の各画素に対してグレースケールを２値化する変換を施す工程と、
（ｅ）前記工程（ｄ）において変換した２値化画像に対し第１連結成分分析を行って一以上の連結成分を取得する工程と、
（ｆ）所定の第３閾値以上の画素数を有する個々の連結成分について、当該個々の連結成分の重心をそれぞれ中心とする拡大対象ブロックを選択し、当該拡大対象ブロック内における画素輝度変化の度合いが小さい領域を識別することによって前記印刷文書内での改ざんを示す改ざん２値マップを前記拡大対象ブロック内に生成する工程と、
（ｇ）前記工程（ｃ）において改ざん有りのマークが付された全てのブロックの画像及び前記工程（ｆ）において生成された全ての改ざん２値マップのブロックの画像を合成して改ざん画像を生成する工程と、
を有する印刷文書認証方法。
【請求項３】
前記工程（ｆ）は、
（ｆ１）前記拡大対象ブロック内の画素のうち輝度が所定の範囲内にある画素にＯＮマークを付する閾値分割により第１の２値マップを生成する工程と、
（ｆ２）前記拡大対象ブロックのうち最も暗い画素である種画素から、隣接する各画素を現在の領域の平均値と比較し、その差が第４閾値以内であるときに前記隣接する各画素を前記領域に加えて領域成長させることにより第２の２値マップを生成する工程と、
（ｆ３）隣接する８つ全ての画素と連結されていない画素を除去することで、前記第１及び第２の２値マップを侵食して第１及び第２の侵食２値マップをそれぞれ生成する工程と、
（ｆ４）前記第１及び第２の侵食２値マップについて第２連結成分分析を行い、所定の第５閾値より少ない画素数の連結成分を除去して第１及び第２の改ざん検出済２値マップを取得する工程と、
（ｆ５）前記第１及び第２の改ざん検出済２値マップをビットごとにＯＲ演算して改ざん２値マップを取得する工程と、
を有する請求項２に記載の印刷文書認証方法。
【請求項４】
中間調印刷方式を用いることによりデジタル画像から第１空間解像度で印刷される印刷文書の認証方法であって、前記デジタル画像は元のデジタル文書画像に付加された透かしを含み、前記透かしはドットパターンを含み、各ドットは前記第１空間解像度により規定される個々の１×１画素以上の大きさである、印刷文書認証方法において、
前記印刷文書を前記第１空間解像度以上の高さの第２空間解像度で読み取って読取画像を取得する工程と、
前記読取画像内において画素輝度変化の度合いが小さい領域を識別することで、前記読取画像における任意の改ざんを検出する工程と、を有し、
前記印刷文書において、前記デジタル文書画像の比較的明るいコンテンツを有する領域については前記透かしのドットは前記デジタル文書画像の元の画素値よりも暗い画素値とされたドットとして再現され、前記デジタル文書画像の比較的くらいコンテンツを有する領域については前記透かしのドットは前記デジタル文書画像の元の画素値よりも明るい画素値とされたドットとして再現されている、
印刷文書認証方法。
【請求項５】
中間調印刷方式を用いることによりデジタル画像から第１空間解像度で印刷される印刷文書の認証方法であって、前記デジタル画像は元のデジタル文書画像に付加された透かしを含み、前記透かしはドットパターンを含み、各ドットは前記第１空間解像度により規定される個々の１×１画素以上の大きさである、印刷文書認証方法において、
前記印刷文書を前記第１空間解像度以上の高さの第２空間解像度で読み取って読取画像を取得する工程と、
前記読取画像内において画素輝度変化の度合いが小さい領域を識別することで、前記読取画像における任意の改ざんを検出する工程と、を有し、
前記検出する工程は、
（ａ）前記読取画像を、各々が複数の画素を有する複数のブロックに分割する工程と、
各ブロックについて、
（ｂ）前記ブロックの平坦度合いを算出する工程と、
（ｃ）前記平坦度合いが所定の第１閾値以下であるとき、前記ブロックに改ざん有りのマークを付する工程と、
改ざん有りのマークが付されていない各ブロックについて、
（ｄ）所定の第２閾値を用いることで、前記ブロック内の各画素に対してグレースケールを２値化する変換を施す工程と、
（ｅ）前記工程（ｄ）において変換した２値化画像に対し第１連結成分分析を行って一以上の連結成分を取得する工程と、
（ｆ）所定の第３閾値以上の画素数を有する個々の連結成分について、当該個々の連結成分の重心をそれぞれ中心とする拡大対象ブロックを選択し、当該拡大対象ブロック内における画素輝度変化の度合いが小さい領域を識別することによって前記印刷文書内での改ざんを示す改ざん２値マップを前記拡大対象ブロック内に生成する工程と、
（ｇ）前記工程（ｃ）において改ざん有りのマークが付された全てのブロックの画像及び前記工程（ｆ）において生成された全ての改ざん２値マップのブロックの画像を合成して改ざん画像を生成する工程と、
を有する印刷文書認証方法。
【請求項６】
前記工程（ｆ）は、
（ｆ１）前記拡大対象ブロック内の画素のうち輝度が所定の範囲内にある画素にＯＮマークを付する閾値分割により第１の２値マップを生成する工程と、
（ｆ２）前記拡大対象ブロックのうち最も暗い画素である種画素から、隣接する各画素を現在の領域の平均値と比較し、その差が第４閾値以内であるときに前記隣接する各画素を前記領域に加えて領域成長させることにより第２の２値マップを生成する工程と、
（ｆ３）隣接する８つ全ての画素と連結されていない画素を除去することで、前記第１及び第２の２値マップを侵食して第１及び第２の侵食２値マップをそれぞれ生成する工程と、
（ｆ４）前記第１及び第２の侵食２値マップについて第２連結成分分析を行い、所定の第５閾値より少ない画素数の連結成分を除去して第１及び第２の改ざん検出済２値マップを取得する工程と、
（ｆ５）前記第１及び第２の改ざん検出済２値マップをビットごとにＯＲ演算して改ざん２値マップを取得する工程と、を有する請求項５に記載の印刷文書認証方法。
【請求項７】
データ処理装置を制御するためのコンピュータ読み取り可能なプログラムコードが組み込まれたコンピュータ利用可能なメディアを有し、
前記プログラムコードは、前記データ処理装置に、印刷文書を読み取ることで取得された読取画像を認証する処理を実行させ得るように構成され、
前記印刷文書は、第１空間解像度において中間調印刷方式を用いることによりデジタル画像から印刷され、
前記デジタル画像は、元のデジタル文書画像に付加された透かしを有し、
前記透かしは、各ドットが前記第１空間解像度により規定される個々の１×１画素以上の大きさのドットパターンを有し、
前記読み取りは、前記第１空間解像度以上の高さの第２空間解像度で行われ、
前記処理は、
（ａ）前記読取画像を、各々が複数の画素を有する複数のブロックに分割する工程と、
各ブロックについて、
（ｂ）前記ブロックの平坦度合いを算出する工程と、
（ｃ）前記平坦度合いが所定の第１閾値以下であるとき、前記ブロックに改ざん有りのマークを付する工程と、
改ざん有りのマークが付されていない各ブロックについて、
（ｄ）所定の第２閾値を用いることで、前記ブロック内の各画素に対してグレースケールを２値化する変換を施す工程と、
（ｅ）前記工程（ｄ）において変換した２値化画像に対し第１連結成分分析を行って一以上の連結成分を取得する工程と、
（ｆ）所定の第３閾値以上の画素数を有する個々の連結成分について、当該個々の連結成分の重心をそれぞれ中心とする拡大対象ブロックを選択し、当該拡大対象ブロック内における画素輝度変化の度合いが小さい領域を識別することによって前記印刷文書内での改ざんを示す改ざん２値マップを前記拡大対象ブロック内に生成する工程と、
（ｇ）前記工程（ｃ）において改ざん有りのマークが付された全てのブロックの画像及び前記工程（ｆ）において生成された全ての改ざん２値マップのブロックの画像を合成して改ざん画像を生成する工程と、
を有するコンピュータプログラムプロダクト。
【請求項８】
前記工程（ｆ）は、
（ｆ１）前記拡大対象ブロック内の画素のうち輝度が所定の範囲内にある画素にＯＮマークを付する閾値分割により第１の２値マップを生成する工程と、
（ｆ２）前記拡大対象ブロックのうち最も暗い画素である種画素から、隣接する各画素を現在の領域の平均値と比較し、その差が第４閾値以内であるときに前記隣接する各画素を前記領域に加えて領域成長させることにより第２の２値マップを生成する工程と、
（ｆ３）隣接する８つ全ての画素と連結されていない画素を除去することで、前記第１及び第２の２値マップを侵食して第１及び第２の侵食２値マップをそれぞれ生成する工程と、
（ｆ４）前記第１及び第２の侵食２値マップについて第２連結成分分析を行い、所定の第５閾値より少ない画素数の連結成分を除去して第１及び第２の改ざん検出済２値マップを取得する工程と、
（ｆ５）前記第１及び第２の改ざん検出済２値マップをビットごとにＯＲ演算して改ざん２値マップを取得する工程と、
を有する請求項７に記載のコンピュータプログラムプロダクト。
【請求項９】
印刷文書を読み取って読取画像を生成する読取手段と、
前記読取画像内において画素輝度変化の度合いが小さい領域を識別することで、前記読取画像における任意の改ざんを検出するように処理する処理手段と、を有し、
前記印刷文書は、中間調印刷方式を用いることによりデジタル画像から第１空間解像度で印刷され、
前記デジタル画像は、元のデジタル文書画像に付加された透かしを有し、
前記透かしは、各ドットが前記第１空間解像度により規定される個々の１×１画素以上の大きさのドットパターンを有し、
前記印刷文書において、前記デジタル文書画像の比較的明るいコンテンツを有する領域については前記透かしのドットは前記デジタル文書画像の元の画素値よりも暗い画素値とされたドットとして再現され、前記デジタル文書画像の比較的暗いコンテンツを有する領域については前記透かしのドットは前記デジタル文書画像の元の画素値よりも明るい画素値とされたドットとして再現されており、
前記読取手段は、前記第１空間解像度以上の高さの第２空間解像度で前記印刷文書を読み取るデータ処理システム。
【請求項１０】
印刷文書を読み取って読取画像を生成する読取手段と、
前記読取画像内において画素輝度変化の度合いが小さい領域を識別することで、前記読取画像における任意の改ざんを検出するように処理する処理手段と、を有し、
前記印刷文書は、中間調印刷方式を用いることによりデジタル画像から第１空間解像度で印刷され、
前記デジタル画像は、元のデジタル文書画像に付加された透かしを有し、
前記透かしは、各ドットが前記第１空間解像度により規定される個々の１×１画素以上の大きさのドットパターンを有し、
前記読取手段は、前記第１空間解像度以上の高さの第２空間解像度で前記印刷文書を読み取り、
前記処理手段は、
（ａ）前記読取画像を、各々が複数の画素を有する複数のブロックに分割する工程と、
各ブロックについて、
（ｂ）前記ブロックの平坦度合いを算出する工程と、
（ｃ）前記平坦度合いが所定の第１閾値以下であるとき、前記ブロックに改ざん有りのマークを付する工程と、
改ざん有りのマークが付されていない各ブロックについて、
（ｄ）所定の第２閾値を用いることで、前記ブロック内の各画素に対してグレースケールを２値化する変換を施す工程と、
（ｅ）前記工程（ｄ）において変換した２値化画像に対し第１連結成分分析を行って一以上の連結成分を取得する工程と、
（ｆ）所定の第３閾値以上の画素数を有する個々の連結成分について、当該個々の連結成分の重心をそれぞれ中心とする拡大対象ブロックを選択し、当該拡大対象ブロック内における画素輝度変化の度合いが小さい領域を識別することによって前記印刷文書内での改ざんを示す改ざん２値マップを前記拡大対象ブロック内に生成する工程と、
（ｇ）前記工程（ｃ）において改ざん有りのマークが付された全てのブロックの画像及び前記工程（ｆ）において生成された全ての改ざん２値マップのブロックの画像を合成して改ざん画像を生成する工程と、
を有する修正検出処理を実行するデータ処理システム。
【請求項１１】
前記工程（ｆ）は、
（ｆ１）前記拡大対象ブロック内の画素のうち輝度が所定の範囲内にある画素にＯＮマークを付する閾値分割により第１の２値マップを生成する工程と、
（ｆ２）前記拡大対象ブロックのうち最も暗い画素である種画素から、隣接する各画素を現在の領域の平均値と比較し、その差が第４閾値以内であるときに前記隣接する各画素を前記領域に加えて領域成長させることにより第２の２値マップを生成する工程と、
（ｆ３）隣接する８つ全ての画素と連結されていない画素を除去することで、前記第１及び第２の２値マップを侵食して第１及び第２の侵食２値マップをそれぞれ生成する工程と、
（ｆ４）前記第１及び第２の侵食２値マップについて第２連結成分分析を行い、所定の第５閾値より少ない画素数の連結成分を除去して第１及び第２の改ざん検出済２値マップを取得する工程と、
（ｆ５）前記第１及び第２の改ざん検出済２値マップをビットごとにＯＲ演算して改ざん２値マップを取得する工程と、
を有する請求項１０に記載のデータ処理システム。
【請求項１２】
前記処理手段は、デジタル文書画像に透かしを付加することで透かし画像を生成し、
前記透かしは、各ドットが第１空間解像度により規定される個々の１×１画素以上の大きさのドットパターンを有し、
前記透かし画像を印刷する印刷手段をさらに有する請求項９に記載のデータ処理システム。
【誤訳訂正２】
【訂正対象書類名】明細書
【訂正対象項目名】発明の名称
【訂正方法】変更
【訂正の内容】
【発明の名称】印刷文書認証方法、コンピュータプログラムプロダクト及びデータ処理システム
【誤訳訂正３】
【訂正対象書類名】明細書
【訂正対象項目名】０００７
【訂正方法】変更
【訂正の内容】
【０００７】
これらの及び／又はその他の目的を達成するため、具体的かつ広範に記載されているように、本発明によって、デジタル文書画像を取得する工程と、前記デジタル文書画像に、各ドットが第１空間解像度で規定される個々の１×１画素以上の大きさであるドットパターンを含む透かしを付加する工程と、前記透かしを有するデジタル文書を、前記第１空間解像度において中間調印刷方式により印刷する工程と、前記中間調印刷方式により印刷された印刷文書を、前記第１空間解像度以上の高さの第２空間解像度で読み取って読取画像を取得する工程と、前記読取画像内において画素輝度変化の度合いが小さい領域を識別することにより、前記読取画像における任意の改ざんを検出する工程と、を有し、前記透かしを付加する工程において、前記デジタル文書画像の比較的明るいコンテンツを有する領域については前記透かしのドットの画素は前記デジタル文書画像の元の画素値よりも暗い画素値とされ、前記デジタル文書画像の比較的暗いコンテンツを有する領域については、前記透かしのドットの画素は前記デジタル文書画像の元の画素値よりも明るい画素値とされる、印刷文書認証方法が提供される。
本発明の他の態様によれば、デジタル文書画像を取得する工程と、前記デジタル文書画像に、各ドットが第１空間解像度で規定される個々の１×１画素以上の大きさであるドットパターンを含む透かしを付加する工程と、前記透かしを有するデジタル文書を、前記第１空間解像度において中間調印刷方式により印刷する工程と、前記中間調印刷方式により印刷された印刷文書を、前記第１空間解像度以上の高さの第２空間解像度で読み取って読取画像を取得する工程と、前記読取画像内において画素輝度変化の度合いが小さい領域を識別することにより、前記読取画像における任意の改ざんを検出する工程と、を有し、前記検出する工程は、（ａ）前記読取画像を、各々が複数の画素を有する複数のブロックに分割する工程と、各ブロックについて、（ｂ）前記ブロックの平坦度合いを算出する工程と、（ｃ）前記平坦度合いが所定の第１閾値以下であるとき、前記ブロックに改ざん有りのマークを付する工程と、改ざん有りのマークが付されていない各ブロックについて、（ｄ）所定の第２閾値を用いることで、前記ブロック内の各画素に対してグレースケールを２値化する変換を施す工程と、（ｅ）前記工程（ｄ）において変換した２値化画像に対し第１連結成分分析を行って一以上の連結成分を取得する工程と、（ｆ）所定の第３閾値以上の画素数を有する個々の連結成分について、当該個々の連結成分の重心をそれぞれ中心とする拡大対象ブロックを選択し、当該拡大対象ブロック内における画素輝度変化の度合いが小さい領域を識別することによって前記印刷文書内での改ざんを示す改ざん２値マップを前記拡大対象ブロック内に生成する工程と、（ｇ）前記工程（ｃ）において改ざん有りのマークが付された全てのブロックの画像及び前記工程（ｆ）において生成された全ての改ざん２値マップのブロックの画像を合成して改ざん画像を生成する工程と、を有する印刷文書認証方法が提供される。
【誤訳訂正４】
【訂正対象書類名】明細書
【訂正対象項目名】０００８
【訂正方法】変更
【訂正の内容】
【０００８】
本発明の他の態様によれば、中間調印刷方式を用いることによりデジタル画像から第１空間解像度で印刷される印刷文書の認証方法であって、前記デジタル画像は元のデジタル文書画像に付加された透かしを含み、前記透かしはドットパターンを含み、各ドットは前記第１空間解像度により規定される個々の１×１画素以上の大きさである、印刷文書認証方法において、前記印刷文書を前記第１空間解像度以上の高さの第２空間解像度で読み取って読取画像を取得する工程と、前記読取画像内において画素輝度変化の度合いが小さい領域を識別することで、前記読取画像における任意の改ざんを検出する工程と、を有し、前記印刷文書において、前記デジタル文書画像の比較的明るいコンテンツを有する領域については前記透かしのドットは前記デジタル文書画像の元の画素値よりも暗い画素値とされたドットとして再現され、前記デジタル文書画像の比較的くらいコンテンツを有する領域については前記透かしのドットは前記デジタル文書画像の元の画素値よりも明るい画素値とされたドットとして再現されている、印刷文書認証方法が提供される。
本発明の他の態様によれば、中間調印刷方式を用いることによりデジタル画像から第１空間解像度で印刷される印刷文書の認証方法であって、前記デジタル画像は元のデジタル文書画像に付加された透かしを含み、前記透かしはドットパターンを含み、各ドットは前記第１空間解像度により規定される個々の１×１画素以上の大きさである、印刷文書認証方法において、前記印刷文書を前記第１空間解像度以上の高さの第２空間解像度で読み取って読取画像を取得する工程と、前記読取画像内において画素輝度変化の度合いが小さい領域を識別することで、前記読取画像における任意の改ざんを検出する工程と、を有し、前記検出する工程は、（ａ）前記読取画像を、各々が複数の画素を有する複数のブロックに分割する工程と、各ブロックについて、（ｂ）前記ブロックの平坦度合いを算出する工程と、（ｃ）前記平坦度合いが所定の第１閾値以下であるとき、前記ブロックに改ざん有りのマークを付する工程と、改ざん有りのマークが付されていない各ブロックについて、（ｄ）所定の第２閾値を用いることで、前記ブロック内の各画素に対してグレースケールを２値化する変換を施す工程と、（ｅ）前記工程（ｄ）において変換した２値化画像に対し第１連結成分分析を行って一以上の連結成分を取得する工程と、（ｆ）所定の第３閾値以上の画素数を有する個々の連結成分について、当該個々の連結成分の重心をそれぞれ中心とする拡大対象ブロックを選択し、当該拡大対象ブロック内における画素輝度変化の度合いが小さい領域を識別することによって前記印刷文書内での改ざんを示す改ざん２値マップを前記拡大対象ブロック内に生成する工程と、（ｇ）前記工程（ｃ）において改ざん有りのマークが付された全てのブロックの画像及び前記工程（ｆ）において生成された全ての改ざん２値マップのブロックの画像を合成して改ざん画像を生成する工程と、を有する印刷文書認証方法が提供される。
【誤訳訂正５】
【訂正対象書類名】明細書
【訂正対象項目名】０００９
【訂正方法】変更
【訂正の内容】
【０００９】
本発明の他の態様によれば、データ処理装置に上記方法を実現させるコンピュータプログラムプロダクトが提供される。
【誤訳訂正６】
【訂正対象書類名】明細書
【訂正対象項目名】００１０
【訂正方法】変更
【訂正の内容】
【００１０】
本発明の他の態様によれば、印刷文書を読み取って読取画像を生成する読取手段と、前記読取画像内において画素輝度変化の度合いが小さい領域を識別することで、前記読取画像における任意の改ざんを検出するように処理する処理手段と、を有し、前記印刷文書は、中間調印刷方式を用いることによりデジタル画像から第１空間解像度で印刷され、前記デジタル画像は、元のデジタル文書画像に付加された透かしを有し、前記透かしは、各ドットが前記第１空間解像度により規定される個々の１×１画素以上の大きさのドットパターンを有し、前記印刷文書において、前記デジタル文書画像の比較的明るいコンテンツを有する領域については前記透かしのドットは前記デジタル文書画像の元の画素値よりも暗い画素値とされたドットとして再現され、前記デジタル文書画像の比較的暗いコンテンツを有する領域については前記透かしのドットは前記デジタル文書画像の元の画素値よりも明るい画素値とされたドットとして再現されており、前記読取手段は、前記第１空間解像度以上の高さの第２空間解像度で前記印刷文書を読み取るデータ処理システムが提供される。
本発明の他の態様によれば、印刷文書を読み取って読取画像を生成する読取手段と、前記読取画像内において画素輝度変化の度合いが小さい領域を識別することで、前記読取画像における任意の改ざんを検出するように処理する処理手段と、を有し、前記印刷文書は、中間調印刷方式を用いることによりデジタル画像から第１空間解像度で印刷され、前記デジタル画像は、元のデジタル文書画像に付加された透かしを有し、前記透かしは、各ドットが前記第１空間解像度により規定される個々の１×１画素以上の大きさのドットパターンを有し、前記読取手段は、前記第１空間解像度以上の高さの第２空間解像度で前記印刷文書を読み取り、前記処理手段は、（ａ）前記読取画像を、各々が複数の画素を有する複数のブロックに分割する工程と、各ブロックについて、（ｂ）前記ブロックの平坦度合いを算出する工程と、（ｃ）前記平坦度合いが所定の第１閾値以下であるとき、前記ブロックに改ざん有りのマークを付する工程と、改ざん有りのマークが付されていない各ブロックについて、（ｄ）所定の第２閾値を用いることで、前記ブロック内の各画素に対してグレースケールを２値化する変換を施す工程と、（ｅ）前記工程（ｄ）において変換した２値化画像に対し第１連結成分分析を行って一以上の連結成分を取得する工程と、（ｆ）所定の第３閾値以上の画素数を有する個々の連結成分について、当該個々の連結成分の重心をそれぞれ中心とする拡大対象ブロックを選択し、当該拡大対象ブロック内における画素輝度変化の度合いが小さい領域を識別することによって前記印刷文書内での改ざんを示す改ざん２値マップを前記拡大対象ブロック内に生成する工程と、（ｇ）前記工程（ｃ）において改ざん有りのマークが付された全てのブロックの画像及び前記工程（ｆ）において生成された全ての改ざん２値マップのブロックの画像を合成して改ざん画像を生成する工程と、を有する修正検出処理を実行するデータ処理システムが提供される。
【誤訳訂正７】
【訂正対象書類名】明細書
【訂正対象項目名】００１４
【訂正方法】変更
【訂正の内容】
【００１４】
元のデジタル文書に透かしを付加すると、重なった領域（すなわち、透かしのドットが存在する領域）が暗く又は明るくなって混合色を示す。好ましくは、重なった領域の元の画素値が、ある輝度閾値と同値又はそれよりも明るいとき（すなわち、重なった領域が、元の画像のうち比較的明るい彩色が施された領域、又は、空白の領域に位置するとき）、第１の透かし輝度値と呼ばれる値の分だけ暗くされる。また、重なった領域の元の画素値が、ある輝度閾値よりも暗いとき（すなわち、重なった領域が、元の画像のうち比較的暗いコンテンツを有する領域に位置するとき）、第２の透かし輝度値として規定される値の分だけ明るくなる。上記第１及び第２の透かし輝度値は、等しくてもよいし異なっていてもよい。一の典型例において、上記輝度閾値が２５５（即ち、白色）であり、上記第１及び第２の透かし輝度値が５１である。別の実施例において、重なった全ての領域の画素は、元の画素値によらずに暗くされる（可能な限り最も暗い画素値（０）を超えて得られた画素値が、最も暗い画素値として設定される）。より一般的には、元の画素値に加えられる、又は、元の画素値から減じられる透かし輝度値は、全画像領域（もともと暗い領域及びもともと明るい領域の両方）に可視的な透かしドットの画像を形成する上での一般的な目標を視野に入れ、元の画素値に適した関数としてもよい。さらに、上記透かしドットの大きさは、元の画素値に応じて異なってもよい。例えば、非常に暗い領域に配置される透かし（非常に暗い領域に配置される明トーンのドット）は、白色領域に配置されるグレートーンの透かしドットより大きくてもよい。
【誤訳訂正８】
【訂正対象書類名】明細書
【訂正対象項目名】００１７
【訂正方法】変更
【訂正の内容】
【００１７】
図２はまた、本実施例において、印刷処理（ステップＳ１３）と読取処理（ステップＳ１４）との間に、本具体例では濃いペンで“ＡＬＴＥＲ”（改ざん）という文字列を付加することによって、上記印刷文書が改ざんされた領域２４を示している。読み戻された画像において、上記改ざんされた領域（改ざんされた文字列の一画一画）が比較的“平坦”、つまり、改ざんされた領域内の画素輝度が、比較的少量だけ異なっていることを読み取ることができる。一方、改ざんされていない領域においては、白色領域（透かしを付加する前における元の文書画像の白色領域に相当する）と、灰色又は黒色領域（例えば、文字列又はその他の画像要素が存在する領域）との両方において、比較的大きな輝度変化が存在する。この比較的大きな輝度変化は、上記画像に透かしドットが付加されたという事実と、上記画像が低解像度において中間調印刷方式により印刷されたという事実とに基づくものである。改ざん検出工程（ステップＳ１５）は、上記画像内において平坦領域（すなわち、輝度変化が低い領域）を識別することによって改ざんを検出する。改ざんを着実に検出するため、平坦ブロック検出と、付加的な多重閾値法との組合せとが用いられる。ステップＳ１５では、改ざんを検出及び識別してこれらを文書から分離することができる。図５にステップＳ１５における検出結果の一例を示す。ここにおいて、改ざんが元の文書から分離されている（図５は、図２に示す画像のごく一部であることに留意）。
【誤訳訂正９】
【訂正対象書類名】明細書
【訂正対象項目名】００１８
【訂正方法】変更
【訂正の内容】
【００１８】
図３に示すフローチャートを参照して、ステップＳ１５において用いられる改ざん検出アルゴリズムを以下に説明する。上記検出アルゴリズムは、まず、処理する画像のブロックを選択する（ステップＳ３０１）。該ブロックは、上記画像をそれぞれ所定の大きさ（例えば、図示例においては１６×１６画素）を有する複数のタイルに分割することで選択されてもよい。各ブロックにおいて、当該ブロック中の画素輝度に基づき“平坦度”の度合いが算出される（ステップＳ３０２）。上記平坦度合いは、当該ブロック中における最大画素輝度と最低画素輝度との差異によって規定されることが好ましい。他の平坦度合いの代替として、例えば標準偏差や分散等が用いられてもよい。平坦度合いが、所定の第１閾値以下のとき（ステップＳ３０３：Ｙｅｓ）、ブロック全体に改ざん有りのマークが付され（ステップＳ３０４）、次のブロックに処理が移行する。なお、好適な実施形態においては、上記所定の第１閾値は１であることが好ましい。上記ブロックが平坦でないとき（ステップＳ３０３：Ｎｏ）、当該ブロックは、その一部が平坦であるか否かを判別するために、さらにステップＳ３０５〜Ｓ３１４において処理される。そして、平坦な領域は改ざんされた領域であると判断される。
【誤訳訂正１０】
【訂正対象書類名】明細書
【訂正対象項目名】００２０
【訂正方法】変更
【訂正の内容】
【００２０】
各改ざん見込み候補について、上記決定された重心が中心をなす拡大対象ブロックが選択される（ステップＳ３０９）。好適な実施形態においては、上記拡大対象ブロックは、３２×３２画素であることが好ましい。図４Ｅは、拡大対象ブロック４３を示しており、その中心は、図４Ｄに示す改ざん見込み候補４２ａの重心となっている。この拡大対象ブロック４３は、改ざん検出結果を示す２値マップを取得するために処理される。第１の２値マップは、閾値分割によって取得される（ステップＳ３１０）。ここにおいて、輝度が所定の範囲内に入る画素に１又は“on”のマークが付される。好適な実施形態においては、上記所定の輝度範囲は、最大画素輝度に全輝度範囲の所定の割合を加えた値と、上記最大画素輝度から上記全輝度範囲の所定の割合を減じた値との間の範囲であることが好ましい。上記全輝度範囲は、上記拡大対象ブロック４３内における最大画素輝度と最小画素輝度との差異として規定される。好適な実施形態においては、上記所定の割合は、１／５であることが好ましい。図４Ｆは、上記第１の２値マップを示し、“on”マークが付された画素が黒で示されている。第２の２値マップは、種画素からの領域成長によって取得される（ステップＳ３１１）。ここにおいて、隣接する各画素が現在の領域の平均値と比較され、該平均値との差異が許容誤差閾値（所定の第４閾値）の範囲内であるとき、上記領域に加えられる。好適な実施形態においては、上記所定の第４閾値は、上記平均値の２５％であることが好ましい。選択された上記種画素４４は、上記領域成長前における当該ブロック（すなわち、上記１６×１６画素のブロック）において現在注目されている連結成分（すなわち、改ざん見込み候補４２ａ）のうち、最小の値を有する画素（即ち、最も暗い画素）である。上記領域成長処理においては、背景の白色領域への領域成長を防ぐために、画素値が２５０よりも大きな画素は考慮されない。図４Ｇは種画素４４を示している。図４Ｈは、上記種画素からの領域成長の結果である第２の２値マップを示しており、当該領域が黒色で表示されている。これら２つの各２値マップは、その後、隣接する８つ全ての画素と連結されていない画素が除去されることで侵食される（ステップＳ３１２）。図４Ｉは、第２の侵食２値マップ、すなわち、上記第２の２値マップについての領域侵食の結果を示している。次に、上記２つの侵食２値マップに対して連結成分分析が行われ、所定の第５閾値よりも少ない画素数を有する連結成分が除去される（ステップＳ３１３）。好適な実施形態においては、上記所定の第５閾値は、８１画素であることが好ましい。ステップＳ３１３により、上記第１及び第２の侵食２値マップが第１及び第２の改ざん検出済２値マップとなる。図４Ｋ及び図４Ｊは、それぞれ上記第１及び第２の改ざん検出済２値マップを示す。“on”又は１の画素が改ざんされた画素を示す改ざん検出済最終２値マップを得るために、上記第１及び第２の改ざん検出済２値マップに対してビットごとにＯＲ演算が行われる（ステップＳ３１４）。図４Ｌは、上記改ざん検出済最終２値マップを示す。ステップＳ３０２〜Ｓ３１４は、画像全体が処理されるまで各ブロックに対して繰り返し実行され��。そして、上記印刷文書における改ざんを含む改ざん画像（図５参照）を生成するために、ステップＳ３０４において改ざん有りのマークが付された全てのブロックと、ステップＳ３１４において取得された全ての改ざん２値マップとが最終的に合成される（ステップＳ３１５）。